(57)【要約】      （修正有）【課題】形状が径方向にコンパクトな表示灯一体型発信機を提供する。【解決手段】表示灯一体型発信機は、押ボタン９を格納する押ボタン格納部１１を有する発信機本体部３と、押ボタン格納部１１の前面側に取り付けられた円盤状で透光性の部材で形成された発信機カバー５と、発信機カバー５の背面側における最外周よりも内側に入った部位に設けられて発信機本体部３と係合する係合部と、押ボタン格納部１１よりも外周側で、かつ、発信機カバー５の背面側に位置するように発光素子２５を搭載した基板２５７を収容する基板収容部２９と、を備える。発信機カバー５は、係合部の半径方向外側が透光性を有し、内側が透光性を有しておらず、発光素子２５の光が押ボタン格納部１１に遮られることなく発信機カバー５に到達する。【選択図】図１
2020144951.tif 000002
【特許請求の範囲】
【請求項１】
押ボタンを格納する押ボタン格納部を有する発信機本体部と、前記押ボタン格納部の前面側に取り付けられた円盤状で透光性の部材で形成されると共に前記押ボタン格納部よりも外側に張り出すように設けられた発信機カバーと、該発信機カバーの背面側における最外周よりも内側に入った部位に設けられて前記発信機本体部と係合する係合部と、前記押ボタン格納部よりも外周側でかつ前記発信機カバーの背面側に位置するように発光素子を搭載した基板を収容する基板収容部と、を備え、
前記発信機カバーは、前記係合部の半径方向外側が透光性を有し、内側が透光性を有しておらず、
前記発光素子の光が前記押ボタン格納部に遮られることなく前記発信機カバーに到達するようになっていることを特徴とする表示灯一体型発信機。
【発明の詳細な説明】
【技術分野】
【０００１】
本発明は、例えば消火栓箱、総合盤（機器収容箱）等に取り付けられる表示灯一体型発信機に関する。
【背景技術】
【０００２】
表示灯と発信機と一体的に構成した例が、特許文献１（意匠登録第１４６０５５８号公報）に開示されている。特許文献１には、「中央部に発信機を取り付けるための略矩形状の開口を有し、赤色に着色された半透明部材から成る環状の表示灯本体と、表示灯本体に着脱自在に螺着され、表示灯本体を消火栓格納箱等へ取り付けるための環状の取り付け部材と、表示灯本体と取り付け部材との間に挟持固定され、発光ダイオード（ＬＥＤランプ）を等角度ごとに取り付けた環状の基板とから構成されており、表示灯本体の環状空間に配置された発光ダイオードの光を正面及び周囲に環状に放射するようにした」（特許文献１における意匠に係る物品の説明）と記載されている。
【０００３】
特許文献１に開示されたものは、表示灯をリング状の表示灯本体と、該表示灯本体を取り付けるための取付部材から構成し、リング状の表示灯本体の内側に発信機を取り付け、取付部材によって消火栓箱等に取り付けるようにしている。つまり、表示灯本体が発信機を取り付けるアダプタとして機能している。
【先行技術文献】
【特許文献】
【０００４】
【特許文献１】意匠登録第１４６０５５８号公報
【発明の概要】
【発明が解決しようとする課題】
【０００５】
特許文献１に開示のものでは、発信機カバーの外周の外側にリング状の表示灯が配置されるため、形状が大型化し、取り付けに際しては発信機カバーの外形に表示灯の外形を加えた設置面積が必要になるという問題がある。
【０００６】
本発明はかかる課題を解決するためになされたものであり、形状が径方向にコンパクトな表示灯一体型発信機を提供することを目的としている。
【課題を解決するための手段】
【０００７】
（２−１）本発明に係る表示灯一体型発信機は、押ボタンを格納する押ボタン格納部を有する発信機本体部と、前記押ボタン格納部の前面側に取り付けられた円盤状で透光性の部材で形成されると共に前記押ボタン格納部よりも外側に張り出すように設けられた発信機カバーと、該発信機カバーの背面側における最外周よりも内側に入った部位に設けられて前記発信機本体部と係合する係合部と、前記押ボタン格納部よりも外周側でかつ前記発信機カバーの背面側に位置するように発光素子を搭載した基板を収容する基板収容部と、を備え、
前記発信機カバーは、前記係合部の半径方向外側が透光性を有し、内側が透光性を有しておらず、
前記発光素子の光が前記押ボタン格納部に遮られることなく前記発信機カバーに到達するようになっていることを特徴とするものである。
（１−１）本発明に係る表示灯一体型発信機は、押ボタンを格納する押ボタン格納部を有する発信機本体部と、前記押ボタン格納部の前面側に取り付けられた円盤状で透光性の部材で形成された発信機カバーと、該発信機カバーの背面側における最外周よりも内側に入った部位に設けられて前記発信機本体部の押ボタン格納部と係合する係合部と、有底円筒体からなり、その内側に発光素子を搭載した基板を収容する基板収容部と、を備え、
前記発光素子の光が前記発信機カバーに到達するようになっていることを特徴とするものである。
（１−２）また、上記（１−１）に記載のものにおいて、前記発信機カバーは、前記係合部の半径方向外側が透光性を有することを特徴とするものである。
（１）本発明に係る表示灯一体型発信機は、円筒状の押ボタン格納部を有する発信機本体部と、該押ボタン格納部の前面に設けられた円形の発信機カバーと、前記押ボタン格納部の背面側に設けられた表示灯部とを有し、
該表示灯部は、円筒体からなり、発光素子を収容すると共に前記円筒体の側面が前記発光素子の光を透光させる発光表示部になっており、
前記発信機カバーと前記発光表示部が同径であることを特徴とするものである。
【０００８】
（２）また、上記（１）に記載のものにおいて、前記発信機カバーの全部又は一部が透光性の部材で形成されており、前記発光素子の光が前記発信機カバーの透光性の部分を透光することを特徴とするものである。
【０００９】
（３）本発明に係る表示灯は、発信機本体部における円筒状の押ボタン格納部の背面側に設けられ、発光素子を収容する円筒体の側面が前記発光素子の光を透光させる発光表示部からなり、前記発光表示部は前記押ボタン格納部と同径であることを特徴とするものである。
【発明の効果】
【００１０】
本発明においては、押ボタンを格納する押ボタン格納部を有する発信機本体部と、前記押ボタン格納部の前面側に取り付けられた円盤状で透光性の部材で形成された発信機カバーと、該発信機カバーの背面側における最外周よりも内側に入った部位に設けられて前記発信機本体部の押ボタン格納部と係合する係合部と、有底円筒体からなり、その内側に発光素子を搭載した基板を収容する基板収容部と、を備え、前記発光素子の光が前記発信機カバーに到達するようになっていることにより、全体の形状がコンパクトである。
【図面の簡単な説明】
【００１１】
【図１】本発明の一実施の形態に係る表示灯一体型発信機の分解斜視図である。
【図２】本発明の一実施の形態に係る表示灯一体型発信機の取付面に取り付けた状態の斜視図である。
【図３】図２の矢視Ａ−Ａ断面図である。
【図４】本発明の一実施の形態に係る表示灯一体型発信機における基板と発信機本体部との配置関係を説明する説明図である。
【図５】本発明の他の実施の形態に係る表示灯一体型発信機の分解斜視図である。
【図６】本発明の他の実施の形態に係る表示灯一体型発信機の取付面に取り付けた状態の斜視図である。
【図７】図６の矢視Ｂ−Ｂ断面図である。
【図８】本発明の他の実施の形態に係る表示灯一体型発信機の発信機カバーと発信機本体部との配置関係を説明する説明図である。
【図９】本発明の他の実施の形態に係る表示灯一体型発信機の発信機本体部と基板との配置関係を説明する説明図である。
【発明を実施するための形態】
【００１２】
［実施の形態１］
本実施の形態に係る表示灯一体型発信機１は、図１に示すように、発信機本体部３と、発信機本体部３の前面に設けられた発信機カバー５と、発信機カバー５の背面側に設けられた表示灯部７とを有している。
以下、各構成を詳細に説明する。
なお、以下の説明では、表示灯一体型発信機１を構成する部品の位置関係を、「左右」、「上下」と表記したものは、表示灯一体型発信機１を取付面１５に取り付けた状態（図２参照）での左右、上下を意味し、また「前」、「奥」「後」と表記したものは、表示灯一体型発信機１を取付面１５に取り付けた状態での取付面１５の手前側を前と言い、取付面１５の奥側（背面側）を奥、後という。
【００１３】
＜発信機本体部＞
発信機本体部３は、押ボタン９と、高さの低い円筒状からなり押ボタン９を格納する押ボタン格納部１１と、箱状からなり内部に押ボタン９に連動するスイッチ１２（図３参照）を収容するスイッチ格納部１３とを有している。
押ボタン９が押下されると、スイッチ１２が作動して、図示しない火災受信機に火災信号を発信する。
押ボタン格納部１１は、図１に示すように、スイッチ格納部１３よりも外方向に張出すように形成されており、この張出した部位に、表示灯一体型発信機１を取付面１５に取り付ける取付ネジ１７が挿通されるネジ挿通穴１９が設けられている。
【００１４】
＜発信機カバー＞
発信機カバー５は、円形の有底枠体からなり、図３に示すように、発信機カバー５が発信機本体部３の押ボタン格納部１１に嵌合することで、押ボタン格納部１１の前面に取り付けられている。即ち、発信機カバー５の内径と押ボタン格納部１１の外径はほぼ等しくなっている。
発信機カバー５には、押ボタン９を操作するための押ボタン用開口部２１が設けられ、また押ボタン用開口部２１の上方には、電話ジャック窓扉２３が設けられている（図１〜図３参照）。
【００１５】
＜表示灯部＞
表示灯部７は、有底円筒体からなり、その内側が発光素子２５を搭載した基板２７を収容する基板収容部２９となり、側面が発光素子２５の光を透光させる発光表示部３０になっている。発光表示部３０は、例えば透光性を有する樹脂から形成される。
有底円筒体の底部中央には矩形の表示灯開口部３１が設けられ、発信機本体部３のスイッチ格納部１３が挿通できるようになっている。表示灯開口部３１の縁には、有底円筒体の底部から立ち上がる矩形の枠部３２が形成され、枠部３２と有底円筒体の側周面高さは等しく、枠部３２に押ボタン格納部１１の背面側が載置されるようになっている。
また、有底円筒体の底部には、取付ネジ１７が挿通される筒状部３３が左右の両側（枠体３２の外側）に立設されている。
さらに、有底円筒体の底部には、配線を引き入れるための配線取入れ穴３４が設けられている。
また、さらに、有底円筒体の底部の上下には、基板２７を載置して取り付けるための基板取付部３７が設けられ、基板取付部３７には基板取付ネジ３５が螺入するネジ穴が設けられている。
【００１６】
表示灯部７は、発信機カバー５と同径になるように形成されているので、組立状態では、表示灯部７が発信機カバー５よりも外方に張出すことがなく、全体としてコンパクトになっている（図２、図３参照）。
【００１７】
基板２７は、図１に示すように、スイッチ格納部１３が挿通できる矩形の基板開口部３９が設けられたリング形状をしており、基板２７の両側には取付ネジ１７が挿通可能な挿通穴４１が設けられている。また、基板２７の上下には基板２７を基板収容部２９の基板取付部３７に固定するための基板取付ネジ３５が挿通されるネジ穴４３が設けられている。
【００１８】
発光素子２５の基板２７上での配置は、図１に示す例では、基板２７の周縁に沿って周方向に等間隔で配置されている。
基板２７と発信機本体部３との配置関係は、図３、図４に示す通りであり、組立状態では、基板２７における発光素子２５が搭載された部位は、押ボタン格納部１１の背面側に隠れた状態となる。
なお、押ボタン格納部１１の背面側に反射剤を塗布したり、反射板、反射シールを貼付するようにすることで、発光表示部３０の発光を増すことができ、より視認性を向上できる。
【００１９】
＜取付面＞
取付面１５には、図１に示すように、矩形の発信機取り付け穴４４が設けられ、その横には、取付面１５の背面側の配線（図示なし）を取付面１５の前面側に引きだすための配線取出し穴４５が設けられている。配線取出し穴４５は、表示灯部７の配線取入れ穴３４に対応する位置に設けられる。
また、取付面１５の発信機取り付け穴４４の両側には、表示灯一体型発信機１を取り付ける取付ネジ１７を挿入するネジ挿入穴４７が設けられている。
【００２０】
以上のように構成された表示灯一体型発信機１の組立及び取付面１５への取付方法について説明する。
取付面１５の背面側にある配線の中から必要な配線を取付面１５に設けた配線取出し穴４５から引き出す。
表示灯部７の配線取入れ穴３４から配線を基板収容部２９側に取入れ、基板２７に対して接続する。そして、基板取付部３７に基板２７を載置し、基板取付ネジ３５によって基板２７を固定する。
発信機カバー５を外した状態で、発信機本体部３の背面側に基板２７を固定した表示灯部７を配置し、取付ネジ１７を、発信機本体部３のネジ挿通穴１９、表示灯部７の筒状部３３、及び基板２７の挿通穴４１に挿通し、さらに取付面１５のネジ挿入穴４７に挿入して、取付面１５の背面側に貫通させ、取付面１５の背面側からナット４９でネジ固定する。
その後、発信機カバー５を取り付ける。発信機カバー５は、図示しないネジで押ボタン格納部１１に固定される。
【００２１】
取付状態において、発光素子２５は、図１、３に示すように、発光表示部３０の内側にリング状に配置され、発光素子２５の光が発光表示部３０を透光して光る。発光表示部３０から透光された光は発光表示部３０の周辺を照らすので、正面視において、発信機本体部３の外周部が照らされ、発信機本体部３の外周があたかもリング状に光っているように見える。
また、発光表示部３０を取付面１５に沿った斜めから見たときは、点灯している発光表示部３０の側周面が見えているので、十分な視認性を有している。
【００２２】
以上のように本実施の形態の表示灯一体型発信機１は、表示灯部７が、発信機カバー５と同径に形成されているので、組立状態では、表示灯部７が発信機カバー５よりも外方に張出すことがなく、全体としてコンパクトになっている。
【００２３】
なお、上記の説明では、発光素子２５を基板２７上に等間隔に配置したものを示したが、本発明においては発光素子２５の基板２７上における配置はこれに限られるものではない。
例えば、両サイド部の数が多くなるように（両サイド部の発光素子２５同士の間隔が狭くなるように）配置してもよい。
【００２４】
発光素子２５を、両サイド部の数が多くなるように配置することで、発光表示部３０の両サイド部が上下部よりも明るく光るので、発光表示部３０を取付面１５に沿った斜めから見たときにも、発光表示部３０を確実に視認できる。
【００２５】
なお、発光表示部３０の両サイドを上下よりも明るく光らせるための他の方法として、例えば、両サイド部に配置する発光素子２５の輝度を上下部のものより高く設定するようにしてもよい。あるいは、上述した発光素子２５の間隔と輝度の両方を調整してもよい。
さらには、上下部には発光素子２５を配置しないようにして、発光表示部３０の上下が相対的に暗くなるようにしてもよい。
なお、実施の形態１では、表示灯部７と発信機部（発信機本体部３及び発信機カバー５）とを一体的に取り付ける場合の説明をしたが、表示灯部７が不要である場合には、発信機部だけを取付面１５に取り付けることもできる。
【００２６】
［実施の形態２］
本実施の形態を図５〜図９に基づいて説明する。なお、図５〜図９において、実施の形態１と同一部分には同一の符号を付してある。
実施の形態２に係る表示灯一体型発信機５１が、実施の形態１と異なる点は、図８に示すように、発信機カバー５３が円盤状に形成されており、発信機カバー５３の背面側における最外周よりも少し内側に入った部位に発信機本体部３の押ボタン格納部１１と係合する円筒枠状の係合部５５が形成されている点、及び発信機カバー５３が透光性の部材で形成されている点である。円筒状の係合部５５の内径は、押ボタン格納部１１の外径とほぼ等しく、発信機カバー５３の外径は押ボタン格納部１１の外径よりも大きくなっている。
【００２７】
係合部５５を設けたことにより、組立状態において、押ボタン格納部１１よりも発信機カバー５３の周縁部が外側に張り出す（図７参照）。
また、基板２７における発光素子２５がリング状に搭載された部位も、図９に示すように、押ボタン格納部１１よりも外周側に位置している。
したがって、組立状態において、図７に示すように、発光素子２５の光が押ボタン格納部１１に遮られることなる発信機カバー５３に直接到達するようになっている。
これにより、発光素子２５の光が発光表示部３０を透光すると共に、発信機カバー５３における係合部５５の外側を透光するので、より視認性が向上している。
【００２８】
なお、発信機カバー５３は、少なくとも、係合部５５の半径方向外側が透光性を有するようになっておればよく、必ずしも全体が透光性を有している必要はない。
【００２９】
また、係合部５５を設けたことにより、発信機カバー５３の最外周部は枠状にする必要がなく、そのため発光表示部３０の面積が広くなっており、これによって視認性が向上している。
【００３０】
実施の形態２の表示灯一体型発信機５１は、実施の形態１と同様に、発信機カバー５３と発光表示部３０が同径になっており、コンパクト化が実現されると共に、発信機カバー５３も発光素子２５の光を透光するので視認性の向上も図られている。
【００３１】
なお、上記の説明では、表示灯と発信機が一体となった表示灯一体型発信機１、５１について説明したが、本発明はこれに限られるものではなく、上記で説明した表示灯部７を表示灯単体として構成することもできる。このような表示灯は、発信機本体部の背面側に設けられ、発光素子を収容する筒体の側面が前記発光素子の光を透光させる発光表示部からなり、前記発光表示部は前記発信機本体部と同径であることを特徴とするものである。
【符号の説明】
【００３２】
１  表示灯一体型発信機
３  発信機本体部
５  発信機カバー
７  表示灯部
９  押ボタン
１１  押ボタン格納部
１２  スイッチ
１３  スイッチ格納部
１５  取付面
１７  取付ネジ
１９  ネジ挿通穴
２１  押ボタン用開口部
２３  電話ジャック窓扉
２５  発光素子
２７  基板
２９  基板収容部
３０  発光表示部
３１  表示灯開口部
３２  枠部
３３  筒状部
３４  配線取入れ穴
３５  基板取付ネジ
３７  基板取付部
３９  基板開口部
４１  挿通穴
４３  ネジ穴（基板）
４４  発信機取り付け穴
４５  配線取出し穴
４７  ネジ挿入穴
４９  ナット
５１  表示灯一体型発信機（実施の形態２）
５３  発信機カバー（実施の形態２）
５５  係合部
【図１】
2020144951.tif 000003
【図２】
2020144951.tif 000004
【図３】
2020144951.tif 000005
【図４】
2020144951.tif 000006
【図５】
2020144951.tif 000007
【図６】
2020144951.tif 000008
【図７】
2020144951.tif 000009
【図８】
2020144951.tif 000010
【図９】
2020144951.tif 000011
【手続補正書】
【提出日】令和2年6月29日(2020.6.29)
【手続補正１】
【補正対象書類名】特許請求の範囲
【補正対象項目名】全文
【補正方法】変更
【補正の内容】
【特許請求の範囲】
【請求項１】
押ボタンを格納する押ボタン格納部と、前記押ボタン格納部の前面側に取り付けられた円盤状で透光性の部材で形成されると共に前記押ボタン格納部よりも外側に張り出すように設けられた発信機カバーと、前記押ボタン格納部よりも外周側でかつ前記発信機カバーの背面側に位置するように発光素子を搭載した基板を収容する基板収容部と、を備え、
前記発信機カバーは、半径方向外側が透光性を有し、内側が透光性を有しておらず、
前記発光素子の光が前記押ボタン格納部に遮られることなく前記発信機カバーに到達するようになっていることを特徴とする表示灯一体型発信機。